(57)【要約】      （修正有）【課題】ＬＡＮケーブルのコネクタはロックレバーが設けられているが、折れてしまうことが多い。これを修復するために別部品の中継ぎの器具や補修器具が考案されているが、構造が複雑でありコストの上昇してしまう。そのためコネクタ形状に適合し、代替えロックレバーの折れ対策を施し、正確な位置決め手段が取られてる、ロックレバーを提供する。【解決手段】ロックレバーの折れたＬＡＮケーブルのコネクタに、代替えのロックレバーを持つ補修器具を装着する。レバーの先端を折れたロックレバーの根元へ突き当て、レバーが移動する支軸とすることで、ロックレバーの位置を正確に決める。コネクタの挿入状態では、代替えロックレバーが、折れたロックレバーの根元と相手部品のロックレバー勘合部へ、楔となって固定するので、寸法管理が容易で確実な固定状態とすることができる。【選択図】図２
2011187252.tif 000002
【特許請求の範囲】
【請求項１】
ロックレバーの折れたＬＡＮケーブルのコネクタに用いる代替えのロックレバーを持つ補修器具において、代替えレバーの先端を折れたロックレバーの根元へ突き当て、ロックレバーの位置を正確に導く機構。
【請求項２】
ロックレバーの折れたＬＡＮケーブルのコネクタに用いる代替えのロックレバーを持つ補修器具において、代替えロックレバー先端部分及びロック部のフック形状を、折れたロックレバーの根元と相手部品のロックレバー勘合部へ、楔となって固定することにより、極めて寸法管理が容易で、確実な固定状態を実現するする機構。
【請求項３】
ロックレバーの折れたＬＡＮケーブルのコネクタに用いる代替えのロックレバーを持つ補修器具において、代替えのロックレバー先端を、コネクタ本体へ押し付ける方向に成形し、装着時には弾性変形することによって補修器具をコネクタへ固定すると共に、コネクタとレバー先端の隙間を塞ぎ、ケーブルなどが引っ掛かることも防ぐ機構。
【請求項４】
ロックレバーの折れたＬＡＮケーブルのコネクタに用いる代替えのロックレバーを持つ補修器具において、固定部分にＬＡＮケーブル用コネクタの規格として、寸法が規定されている部分を巻き込む形を用い、更に押し込み方向の位置決めとして、折れたロックレバーの根元を用いることによって、全てのＬＡＮケーブル用コネクタに対して使用することが出来る機構。
【請求項５】
ロックレバーの折れたＬＡＮケーブルのコネクタに用いる代替えのロックレバーを持つ補修器具において、代替えロックレバーと補修器具の固定形状を二本の支持部により繋げることによって、金型の構造として、上下分割のみで対応可能な形状とする製造方法。  
【発明の詳細な説明】
【技術分野】
【０００１】
本発明はロックレバーの折れたＬＡＮコネクタを補修する器具に関するものである。
【先行技術文献】
【特許文献】
【０００２】
【特許文献１】特願２００５−２４２２９９
【特許文献２】特開２００８−１８１６７１
【発明の概要】
【発明が解決しようとする課題】
【０００３】
ＬＡＮケーブルのコネクタには、接続口に固定するためのロックレバーが設けられているが、誤ってロックレバーをケーブルなどに引っ掛けてしまうことで、折れてしまうことが多い。
【０００４】
これを補修するために、破損したコネクタへ別体のコネクタを固定し、中継ぎの器具により導通させる手法が考案されているが、中継ぎの器具が持つロックレバーについても折れ対策が施されていない。構造もコネクタ本体と同様に複雑であるためコストが多大に発生してしまう。
【０００５】
またロックレバー形状のみを、折れたコネクタに被せる補修器具も考案されているが、前記と同様にレバーの折れ対策が施されておらず、折れたコネクタに対して、補修器具のロックレバー位置を正確に導く位置決め手段を持っていないため、コネクタが正しい位置で相手部品へ挿入されているかを保証することが出来ない。
【０００６】
固定手段についても、ＬＡＮケーブル用コネクタの規格は、相手部品へ挿入される部分のみが規制されていることから、挿入される部分より後方の形状は製品ごとに異なるため、全てのＬＡＮケーブルのコネクタへ使用可能な固定形状を持っていない。
【０００７】
樹脂成型部品として、安価に生産するためには、金型の分割を少なくする必要があるが、金型を上下に分割する以外に、横方向へスライド機構によって分割しなければならない形状となっており、金型製作費用、射出成型費用が高くなってしまうなど問題点が多い。
【課題を解決するための手段】
【０００８】
ロックレバーの折れたＬＡＮケーブルのコネクタに、弾性変形する代替えのロックレバーを持つ補修器具を装着する。レバーの先端を折れたロックレバーの根元へ突き当て、レバーを移動する際の支軸とすることによって、ロックレバーの位置正確に決める役割を果たす。
【０００９】
コネクタの挿入状態では、代替えロックレバーが、折れたロックレバーの根元と相手部品のロックレバー勘合部へ、楔となって固定するので、極めて寸法管理が容易で、確実な固定状態を実現することができる。
【００１０】
代替えのロックレバー先端は、コネクタ本体へ押し付ける方向に成形されており、装着時には弾性変形することによって補修器具をコネクタへ固定すると共に、コネクタとレバー先端の隙間を塞ぎ、ケーブルなどが引っ掛かることも防いでいる。
【００１１】
補修機の固定形状は、ＬＡＮケーブル用コネクタの規格として、寸法が規定されている部分を巻き込む形となっているため、全てのＬＡＮケーブル用コネクタに対して使用することが出来る。
【００１２】
代替えロックレバーと補修器具の固定形状を二本の支持部により繋げることによって、ロックレバーの横方向への倒れを防止すると共に、金型の構造としても上下分割のみで対応可能であり、スライド機構が不要な構造にすることが出来る。
【発明を実施するための形態】
【実施例】
【００１３】
以下、図面を参照して本発明の好ましい実施形態について詳細に説明する。
図１は本発明を実施した補修器具の斜視図であり、弾性変形が可能な樹脂材料などにより射出成形されている。
【００１４】
コネクタのロックレバーが折れた断面は、折れた場所にばらつきが出てしまうため、
位置決めとして使用することは出来ないが、補修器具が持つ代替えのロックレバー先端１３は、コネクタのロックレバー付け根８に突き当てられることにより、ロックレバーの位置は正確に定められる。
【００１５】
補修器具のロックレバー先端は、１０に示すように、コネクタに組み付けられる前の単品ではコネクタ本体の上面９より下側に位置している。装着時には１１に示すようにコネクタ本体より押し上げられ、弾性変形することによって押し付ける力が発生し、補修機を確実にコネクタへ固定させると共に、コネクタとレバー先端の隙間を塞ぎ、ケーブルなどが引っ掛かることも防いでいる。
【００１６】
補修機の固定形状は、ＬＡＮケーブル用コネクタの規格として、寸法が規定されている部分１２を巻き込む形となっているため、全てのＬＡＮケーブル用コネクタに対して使用することが出来る。
【００１７】
コネクタの挿入状態では、代替えロックレバー先端１３とロック部のフック形状１４が、折れたロックレバーの根元と相手部品のロックレバー勘合部へ、楔となって固定するので、極めて寸法管理が容易で、確実な固定状態を実現することができる。
【００１８】
代替えロックレバーと補修機の固定形状は二本の支持部１５により繋がっており、ロックレバーの横方向への倒れを防止すると共に、図３で示すように支持部がロックレバーを押し込む際に弾性変形することで、ロックレバーフック部の移動量を増やす役目を果たす。
【００１９】
射出成形をする際には、１０の位置で作ることになるので、金型の構造としても、固定形状を二本の支持部にすることで、上下分割のみで対応が可能でスライド機構が不要な構造とすることが出来る。
【００２０】
図５、図６、図７は補修器具をロックレバーが折れたコネクタへ組みつける手順をしめしている。図５で示すように補修器具はコネクタの前面からコネクタの本体方向１６へ挿入される。
【００２１】
代替えの補修器具のロックレバーはコネクタのロックレバー固定部先端１７に押し上げられながら弾性変形をする。
【００２２】
図６では補修器具は更にコネクタへの本体方向１６へ挿入され、ロックレバー先端１３はコネクタのロックレバー固定部上面１８を滑りながら移動する。
【００２３】
図７は補修器具がコネクタの正規位置へ固定された状態を示しており、ロックレバー先端１３はコネクタ本体の上面９に押し付けられつつ、ロックレバー付け根８に突き当てられている。
【図面の簡単な説明】
【００２４】
【図１】本発明の好ましい実施形態であるロックレバーの折れたＬＡＮコネクタを補修する器具の斜視図である。
【図２】本発明の好ましい実施形態である補修器具をロックレバーの折れたＬＡＮコネクタへ装着した状態の斜視図である。
【図３】本発明の好ましい実施形態である補修器具をロックレバーの折れたＬＡＮコネクタへ装着し、代替えのロックレバーを解除方向１９へ変形させた状態の斜視図である。
【図４】本発明の好ましい実施形態である補修器具を、ロックレバーの折れたＬＡＮコネクタへ装着する前の１０と装着した後１１の側面図である。
【図５】本発明の好ましい実施形態である補修器具を、ロックレバーの折れたＬＡＮコネクタへ装着する過程で、補修器具のロックレバーがコネクタのロックレバー固定部先端１７と接触した状態の側面図である。
【図６】本発明の好ましい実施形態である補修器具を、ロックレバーの折れたＬＡＮコネクタへ装着する過程で、補修器具のロックレバー先端１３がコネクタのロックレバー固定部上面１８に押し上げられた状態の側面図である。
【図７】本発明の好ましい実施形態である補修器具を、ロックレバーの折れたＬＡＮコネクタへ装着する過程で、補修器具がコネクタの正規位置へ固定された状態の側面図である。
【符号の説明】
【００２５】
８：  コネクタのロックレバー付け根
９：  コネクタ本体の上面
１０：  コネクタに組み付けられる前のロックレバー位置
１１：  コネクタに組み付けた状態のロックレバー位置
１２：  ＬＡＮケーブル用コネクタの規格として、寸法が規定されている部分
１３：  代替えロックレバー先端
１４：  代替えロックレバーのフック形状
１５：  代替えロックレバーの支持部
１６：  コネクタへの本体方向
１７：  コネクタのロックレバー固定部先端
１８：  ロックレバー固定部上面
１９：  代替えのロックレバーを解除方向
【図１】
2011187252.tif 000003
【図２】
2011187252.tif 000004
【図３】
2011187252.tif 000005
【図４】
2011187252.tif 000006
【図５】
2011187252.tif 000007
【図６】
2011187252.tif 000008
【図７】
2011187252.tif 000009
【手続補正書】
【提出日】平成22年6月8日(2010.6.8)
【手続補正１】
【補正対象書類名】特許請求の範囲
【補正対象項目名】請求項１
【補正方法】変更
【補正の内容】
【請求項１】
ロックレバーの折れたＬＡＮケーブルのコネクタに用いる代替えのロックレバーとして、代替えロックレバーの先端部分及び代替えロック部のフック形状を、折れたロックレバーの付け根R部と相手部品のロックレバー勘合部へ、楔として固定する機構を持つ補修器具において、楔の先端を、位置のばらつきが見込まれる折れたロックレバーの切断部分から避け、安定した位置決めが行えるロックレバー根元の曲面部に突き当てることによって、ロックレバーの位置を正確に導き、確実な固定状態を実現するする機構。
【手続補正２】
【補正対象書類名】特許請求の範囲
【補正対象項目名】請求項２
【補正方法】変更
【補正の内容】
【請求項２】
ロックレバーの折れたＬＡＮケーブルのコネクタに用いる代替えのロックレバーとして、代替えロックレバーの先端部分及び代替えロック部のフック形状を、折れたロックレバーの付け根R部と相手部品のロックレバー勘合部へ、楔として固定する機構を持つ補修器具において、楔の先端からフック形状までの部分を安定した寸法を保つために弾性変形をさせず、フック形状から補修器具本体への接合部へ弾性変形をさせる機能を持つ機構。尚且つこの弾性変形機能により、補修器具をコネクタへ装着させる際に、代替えロックレバー先端を、折れたロックレバーとコネクタ本体の間へ差し込むことで、補修器具自身が、コネクタ差し込み口から後方への段差と、ロックレバーの付け根R部への楔として確実、容易、且つ安価に固定される機構。
【手続補正３】
【補正対象書類名】特許請求の範囲
【補正対象項目名】請求項３
【補正方法】変更
【補正の内容】
【請求項３】
ロックレバーの折れたＬＡＮケーブルのコネクタに用いる代替えのロックレバーとして、代替えロックレバーの先端部分及び代替えロック部のフック形状を、折れたロックレバーの付け根R部と相手部品のロックレバー勘合部へ、楔として固定する機構を持つ補修器具において、代替えのロックレバー先端をコネクタ本体へ押し付ける方向に成形し、装着時には弾性変形することによって、補修器具をコネクタへガタなく固定すると共に、コネクタとレバー先端の隙間を塞ぎ、ケーブルなどの引っ掛かりも防止する機構。
【手続補正４】
【補正対象書類名】特許請求の範囲
【補正対象項目名】請求項４
【補正方法】変更
【補正の内容】
【請求項４】
ロックレバーの折れたＬＡＮケーブルのコネクタに用いる代替えのロックレバーとして、代替えロックレバーの先端部分及び代替えロック部のフック形状を、折れたロックレバーの付け根R部と相手部品のロックレバー勘合部へ、楔として固定する機構を持つ補修器具において、固定部分にコネクタ自身が相手部品へ差し込まれる部分を使用することにより、弾性変形や別部品による固定、または接着を必要とせずに、全てのＬＡＮケーブル用コネクタに使用することが出来る形状。更に押し込み方向の位置決めとして、コネクタ差し込み口から後方への段差を使用し、抜け留め方向の位置決めには折れたロックレバーの付け根R部を使用することで、確実、容易、且つ安価にコネクタへ固定される機構。
【手続補正５】
【補正対象書類名】特許請求の範囲
【補正対象項目名】請求項５
【補正方法】変更
【補正の内容】
【請求項５】
ロックレバーの折れたＬＡＮケーブルのコネクタに用いる代替えのロックレバーとして、代替えロックレバーの先端部分及び代替えロック部のフック形状を、折れたロックレバーの付け根R部と相手部品のロックレバー勘合部へ、楔として固定する機構を持つ補修器具において、代替えロックレバーと補修器具の固定形状を二本の支持部により繋げることによって、補修器具をコネクタへ装着させる際に、コネクタのロックレバー付け根部分との干渉を避けつつ、代替えロックレバー先端部分をワンタッチで押し込むことで、確実、容易、且つ安価にコネクタへ固定される機構。
【手続補正書】
【提出日】平成22年9月18日(2010.9.18)
【手続補正１】
【補正対象書類名】明細書
【補正対象項目名】０００９
【補正方法】変更
【補正の内容】
【０００９】
コネクタの挿入状態では、代替えロックレバーが、折れたロックレバーの根元と相手部品のロックレバー嵌合部へ、楔となって固定するので、極めて寸法管理が容易で、確実な固定状態を実現することができる。
【手続補正２】
【補正対象書類名】明細書
【補正対象項目名】００１７
【補正方法】変更
【補正の内容】
【００１７】
コネクタの挿入状態では、代替えロックレバー先端１３とロック部のフック形状１４が、折れたロックレバーの根元と相手部品のロックレバー嵌合部へ、楔となって固定するので、極めて寸法管理が容易で、確実な固定状態を実現することができる。
【手続補正３】
【補正対象書類名】特許請求の範囲
【補正対象項目名】請求項１
【補正方法】変更
【補正の内容】
【請求項１】
ロックレバーの折れたＬＡＮケーブルのコネクタに用いる代替えのロックレバーとして、代替えロックレバーの先端部分及びロック部のフック形状を、折れたロックレバーの付け根と相手部品のロックレバー嵌合部へ、楔として固定する機構を持つ補修器具において、楔の先端を、位置のばらつきが見込まれる折れたロックレバーの切断部分から避け、安定した位置決めが行えるロックレバー根元の曲面部に突き当てることによって、代替えロックレバーの位置を正確に導き、確実な固定状態を実現する機構。
【手続補正４】
【補正対象書類名】特許請求の範囲
【補正対象項目名】請求項２
【補正方法】変更
【補正の内容】
【請求項２】
ロックレバーの折れたＬＡＮケーブルのコネクタに用いる代替えのロックレバーとして、代替えロックレバーの先端部分及びロック部のフック形状を、折れたロックレバーの付け根と相手部品のロックレバー嵌合部へ、楔として固定する機構を持つ補修器具において、楔の先端からフック形状までの部分を、安定した寸法を保つために弾性変形をさせず、代替えロックレバーの、フック形状と補修器具本体とを接合させる部分を弾性変形させる機能を持ち、且つ、この弾性変形により、補修器具全体がコネクタと補修器具の固定部分との嵌合により可動方向を制限された状態で、代替えロックレバー先端を折れたロックレバーの付け根R部へ差し込むことで、代替えロックレバーが楔として機能し、確実、容易、且つ安価にコネクタへ固定される機構。
【手続補正５】
【補正対象書類名】特許請求の範囲
【補正対象項目名】請求項３
【補正方法】変更
【補正の内容】
【請求項３】
ロックレバーの折れたＬＡＮケーブルのコネクタに用いる代替えのロックレバーとして、代替えロックレバーの先端部分及びロック部のフック形状を、折れたロックレバーの付け根と相手部品のロックレバー嵌合部へ、楔として固定する機構を持つ補修器具において、代替えロックレバー全体を、二本の支持部への付け根から、予め先端がコネクタへ押し付けられる方向に傾けた形状で成形し、装着時には代替えロックレバーの先端部分がコネクタに押し上げられ、代替えロックレバー全体が弾性変形することによって、補修器具をコネクタへガタなく固定すると共に、コネクタとレバー先端の隙間を塞ぎ、ケーブルなどの引っ掛かりも防止する機構。
【手続補正６】
【補正対象書類名】特許請求の範囲
【補正対象項目名】請求項４
【補正方法】変更
【補正の内容】
【請求項４】
ロックレバーの折れたＬＡＮケーブルのコネクタに用いる代替えのロックレバーとして、代替えロックレバーの先端部分及びロック部のフック形状を、折れたロックレバーの付け根と相手部品のロックレバー嵌合部へ、楔として固定する機構を持つ補修器具において、補修器具の固定部分にコネクタ自身が相手部品へ差し込まれる部分を使用することにより、弾性変形や別部品による固定、または接着を必要とせずに、全てのＬＡＮケーブル用コネクタに使用することが出来る形状を有し、更にコネクタと補修器具の固定部分との嵌合による可動方向の制限と、代替えロックレバー先端を折れたロックレバーの付け根R部へ楔として差し込むことで、確実、容易、且つ安価にコネクタへ固定される機構。
【手続補正７】
【補正対象書類名】特許請求の範囲
【補正対象項目名】請求項５
【補正方法】変更
【補正の内容】
【請求項５】
ロックレバーの折れたＬＡＮケーブルのコネクタに用いる代替えのロックレバーとして、代替えロックレバーの先端部分及びロック部のフック形状を、折れたロックレバーの付け根と相手部品のロックレバー嵌合部へ、楔として固定する機構を持つ補修器具において、代替えロックレバーと補修器具の固定形状を二本の支持部により繋げることによって、補修器具をコネクタへ装着させる際に、コネクタの代替えロックレバー付け根部分との干渉を避けつつ、代替えロックレバー先端部分をワンタッチで押し込むことで、確実、容易、且つ安価にコネクタへ固定される機構。